(57)【要約】【課題】  側壁で囲まれた霊廟室と、祭壇を備えた礼拝空間を有するにも係わらず、室内に設置でき、納骨箱の収納効率が高く、納骨箱の収納数に応じた規模に構成でき、最小の構成単位から増設可能となして初期投資コストの低減化を図り、小規模なお寺等の宗教施設でも容易に導入することができる霊廟礼拝装置を提供する。【解決手段】  側壁パネル７及び天井パネル８で囲まれた空間内に、納骨箱６を収納する棚装置３を備えた霊廟室１と、祭壇５を備えた礼拝空間２を有する霊廟礼拝装置であって、棚装置は、後部に固定棚１１を配置するとともに、固定棚の前面に沿って横方向へ移動可能に移動棚１２を設けたものであり、棚装置の前面と対面する側壁パネルとの間に通路４空間を設け、通路に連通するように側壁パネルに開閉扉１０を設け、側壁パネルの外面に沿った位置に祭壇５を設けて礼拝空間２とした。【選択図】        図１
2008274629.tif 000002
【特許請求の範囲】
【請求項１】
側壁パネル及び天井パネルで囲まれた空間内に、納骨箱を収納する棚装置を備えた霊廟室と、祭壇を備えた礼拝空間を有する霊廟礼拝装置であって、前記棚装置は、後部に固定棚を配置するとともに、該固定棚の前面に沿って横方向へ移動可能に移動棚を設けたものであり、前記棚装置の前面と対面する側壁パネルとの間に通路空間を設けるとともに、該通路に連通するように側壁パネルに開閉扉を設け、そして側壁パネルの外面に沿った位置に祭壇を設けて礼拝空間としたことを特徴とする霊廟礼拝装置。
【請求項２】
前記棚装置は、後部に単位幅を有する複数の固定棚を配置するとともに、該固定棚の前面に沿って、該固定棚と略同一横幅で、その配置数よりも少ない数の移動棚を横方向へ移動可能に設けたものである請求項１記載の霊廟礼拝装置。
【請求項３】
前記棚装置は、ベース板の後部に前記固定棚を固定し、前記ベース板の前部に横方向に下部レールを設けるとともに、前記固定棚の天板前縁に沿って上部レールを設け、前記移動棚の下端に設けた車輪を下部レール上で走行し、該移動棚の天板後部に設けたガイドローラを上部レール内で転動し、もって前記移動棚を横方向移動可能となした請求項１又は２記載の霊廟礼拝装置。
【請求項４】
後部に２個の固定棚を並設するとともに、前部に１個の移動棚を設けた構成を最小の基本ユニットとし、該基本ユニットの側方へ、単位幅の前記ベース板の後部に１個の固定棚を固定し且つ前部に１個の移動棚を配置した増設ユニットを配置するとともに、隣接する下部レール間と上部レール間を連結又は接合する請求項３記載の霊廟礼拝装置。
【請求項５】
前記棚装置の奥行幅と通路幅を前記固定棚の単位幅に一致させ、前記側壁パネルの横幅を前記単位幅に一致させるとともに、天井パネルの長さを前記棚装置の奥行幅に通路幅を加えた長さに設定してなる請求項２〜４何れかに記載の霊廟礼拝装置。
【請求項６】
前記通路に対応する側壁パネルの何れか一枚を、開閉扉を有するドアパネルとしてなる請求項５記載の霊廟礼拝装置。
【請求項７】
前面側の側壁の前方に床パネルを施設し、該床パネルの上に前記祭壇を載置して礼拝空間としてなる請求項１〜６何れかに記載の霊廟礼拝装置。
【発明の詳細な説明】
【技術分野】
【０００１】
本発明は、霊廟礼拝装置に係わり、更に詳しくは多数の納骨箱を収容し、礼拝が可能な霊廟礼拝装置に関するものである。
【背景技術】
【０００２】
墓地用の土地が少なくなって永代使用料や管理費が高騰したこと、核家族化や少子化が進んでお墓の継承が途絶える恐れがあること等の理由により、お寺や教会といった宗教施設に、納骨箱を立体的に効率良く収納する納骨堂を設けて合祀する傾向にある。納骨堂は、霊園・墓地と比べると、小さな土地でも開発することができるので、都心などでも比較的安価で利用することができ、また堂内にある施設であるので風雨にさらされることなく、１年中同じ状態でのお参りが可能であるといった利点がある。
【０００３】
特許文献１には、多数の納骨箱が収納された霊廟と墓参のための礼拝室とを分離する隔壁と、該隔壁に沿って複数配置された前記礼拝室の前記隔壁に夫々設けられ透明板がはめ込まれた小窓と、前記礼拝室の祭壇に配置された扉を開いたとき点灯して前記霊廟内が見えないように前記礼拝室を前記霊廟内より明るく照明する照明灯と、前記小窓の霊廟側前方に前記納骨箱が安置された後該納骨箱を前記礼拝室から目視できるように照明するスポットライトとを備えた自動搬送霊廟礼拝装置が開示されている。ここで、前記霊廟内には多数の納骨箱を収容する収納棚が設置され、自動搬送装置で納骨箱を収納棚と前記小窓の前の載置台との間で搬送するようになっている。
【０００４】
特許文献２には、複数の納骨棚を上下及び左右方向に列設して形成された納骨檀と、この納骨檀の正面側床面に左右方向回動自在に設けられた祭壇と、この祭壇を回動させる駆動手段と、供養者がデータを入力する操作パネルとを備え、前記操作パネルにデータが入力されると、駆動手段が祭壇を回転させ、入力されたデータに対応する納骨棚に正対させるようにした納骨堂が開示されている。
【０００５】
また、特許文献３、４には、参拝室と納骨箱保管室とを有し、納骨箱保管室に設けた納骨箱収納棚と、参拝室に設けた参拝口との間で納骨箱を受け渡すスタッカクレーンからなる搬送手段を設けた慰霊施設が開示されている。
【０００６】
しかし、特許文献１、３及び４に記載の装置、施設は、納骨箱を収納棚と礼拝のための参拝口との間で自動搬送装置を用いて搬送する構造であり、大規模な施設となり、初期投資コストが非常に大きく、小規模なお寺等の宗教施設では導入することはできない。一方、特許文献２に記載の納骨堂は、納骨檀と祭壇との間に広い空間が必要であるので、空間の利用効率が悪く、やはり小規模なお寺等の宗教施設では採用することはできない。
【特許文献１】特許第２８１９２４７号公報
【特許文献２】特許第３３４８０６８号公報
【特許文献３】特開２００５−２７３１５３号公報
【特許文献４】特開２００５−２７３２３６号公報
【発明の開示】
【発明が解決しようとする課題】
【０００７】
そこで、本発明が前述の状況に鑑み、解決しようとするところは、側壁で囲まれた霊廟室と、祭壇を備えた礼拝空間を有するにも係わらず、室内に設置することが可能であり、しかも霊廟室における納骨箱の収納効率が高く、その上、納骨箱の収納数に応じた規模に構成でき、また最小の構成単位から増設可能となして初期投資コストの低減化を図り、小規模なお寺等の宗教施設でも容易に導入することができる霊廟礼拝装置を提供する点にある。
【課題を解決するための手段】
【０００８】
本発明は、前述の課題解決のために、側壁パネル及び天井パネルで囲まれた空間内に、納骨箱を収納する棚装置を備えた霊廟室と、祭壇を備えた礼拝空間を有する霊廟礼拝装置であって、前記棚装置は、後部に固定棚を配置するとともに、該固定棚の前面に沿って横方向へ移動可能に移動棚を設けたものであり、前記棚装置の前面と対面する側壁パネルとの間に通路空間を設けるとともに、該通路に連通するように側壁パネルに開閉扉を設け、そして側壁パネルの外面に沿った位置に祭壇を設けて礼拝空間としたことを特徴とする霊廟礼拝装置を構成した（請求項１）。
【０００９】
ここで、前記棚装置は、後部に単位幅を有する複数の固定棚を配置するとともに、該固定棚の前面に沿って、該固定棚と略同一横幅で、その配置数よりも少ない数の移動棚を横方向へ移動可能に設けたものであることが好ましい（請求項２）。
【００１０】
更に好ましくは、前記棚装置は、ベース板の後部に前記固定棚を固定し、前記ベース板の前部に横方向に下部レールを設けるとともに、前記固定棚の天板前縁に沿って上部レールを設け、前記移動棚の下端に設けた車輪を下部レール上で走行し、該移動棚の天板後部に設けたガイドローラを上部レール内で転動し、もって前記移動棚を横方向移動可能となした（請求項３）。
【００１１】
また、後部に２個の固定棚を並設するとともに、前部に１個の移動棚を設けた構成を最小の基本ユニットとし、該基本ユニットの側方へ、単位幅の前記ベース板の後部に１個の固定棚を固定し且つ前部に１個の移動棚を配置した増設ユニットを配置するとともに、隣接する下部レール間と上部レール間を連結又は接合することがより好ましい（請求項４）。
【００１２】
そして、前記棚装置の奥行幅と通路幅を前記固定棚の単位幅に一致させ、前記側壁パネルの横幅を前記単位幅に一致させるとともに、天井パネルの長さを前記棚装置の奥行幅に通路幅を加えた長さに設定してなるのである（請求項５）。
【００１３】
更に、前記通路に対応する側壁パネルの何れか一枚を、開閉扉を有するドアパネルとしてなるのである（請求項６）。
【００１４】
また、前面側の側壁の前方に床パネルを施設し、該床パネルの上に前記祭壇を載置して礼拝空間としてなる（請求項７）。
【発明の効果】
【００１５】
以上にしてなる請求項１に係る発明の霊廟礼拝装置は、側壁パネル及び天井パネルで囲まれた空間内に、納骨箱を収納する棚装置を備えた霊廟室を設けたので、納骨箱の保管に対して安全性が高くなり、また室内でも容易に設置することができ、そして棚装置は、後部に固定棚を配置するとともに、該固定棚の前面に沿って横方向へ移動可能に移動棚を設けたものであるので、比較的構造が簡単で安価であるにも係わらず、納骨箱の収納効率が高いといった特徴がある。更に、前記棚装置の前面と対面する側壁パネルとの間に通路空間を設けるとともに、該通路に連通するように側壁パネルに開閉扉を設けたので、最小限の通路の確保により、納骨箱に対するアクセスが容易になるのである。そして、側壁パネルの外面に沿った位置に祭壇を設けて礼拝空間としたので、霊廟室内の棚装置から搬送した納骨箱を祭壇に安置して礼拝することができるのである。
【００１６】
請求項２によれば、後部に単位幅を有する複数の固定棚を配置するとともに、該固定棚の前面に沿って、該固定棚と略同一横幅で、その配置数よりも少ない数の移動棚を横方向へ移動可能に設けた構造の棚装置を用いたので、一般的な手動による移動棚装置を採用することができ、設備装置を安価に提供できるのである。尚、棚装置や側壁パネル等は全体を黄金色に表面仕上げをすることにより、厳かで幻想的な雰囲気を醸し出すことができるようになる。
【００１７】
請求項３によれば、棚装置は、ベース板の後部に固定棚を固定し、ベース板の前部に横方向に下部レールを設けるとともに、固定棚の天板前縁に沿って上部レールを設け、移動棚の下端に設けた車輪を下部レール上で走行し、該移動棚の天板後部に設けたガイドローラを上部レール内で転動する構造であるので、移動棚がスムーズに横方向へ移動可能させることができ、背後の固定棚に対する納骨箱の出し入れが容易になり、また地震等による揺れが生じても移動棚が倒れる恐れがないのである。
【００１８】
請求項４によれば、後部に２個の固定棚を並設するとともに、前部に１個の移動棚を設けた構成を最小の基本ユニットとし、該基本ユニットの側方へ、単位幅の前記ベース板の後部に１個の固定棚を固定し且つ前部に１個の移動棚を配置した増設ユニットを配置するとともに、隣接する下部レール間と上部レール間を連結又は接合するようにしたので、棚装置の規模を納骨箱の収納数に応じて構成でき、また最小の構成単位から順次増設可することができるので、初期投資コストが少なくて済み、小規模なお寺等の宗教施設でも容易に導入することができる。
【００１９】
請求項５によれば、棚装置の奥行幅と通路幅を固定棚の単位幅に一致させ、側壁パネルの横幅を単位幅に一致させるとともに、天井パネルの長さを棚装置の奥行幅に通路幅を加えた長さに設定してなるので、同一規格のパネルを用いて霊廟室を区画形成でき、また棚装置を増設する場合にも必要最小限のパネルの追加で済むので、外観性においてもコストの面においても有利である。
【００２０】
請求項６によれば、通路に対応する側壁パネルの何れか一枚を、開閉扉を有するドアパネルとしたので、開閉扉を所望位置に設けることができるのである。
【００２１】
請求項７によれば、前面側の側壁の前方に床パネルを施設し、該床パネルの上に祭壇を載置して礼拝空間としたので、簡易ながら最小限の礼拝設備を備えたものとなり、そして祭壇が側壁の前面を飾るので厳かな雰囲気を醸し出すのである。
【発明を実施するための最良の形態】
【００２２】
次に、添付図面に示した実施形態に基づき、本発明を更に詳細に説明する。図１は本発明に係る霊廟礼拝装置の代表的実施形態を示し、図２〜図９は棚装置の詳細を示し、図中符号１は霊廟室、２は礼拝空間、３は棚装置、４は通路、５は祭壇をそれぞれ示している。
【００２３】
図１に示すように、本発明の霊廟礼拝装置は、霊廟室１と礼拝空間２を備え、霊廟室１の内部には納骨箱６を収納する棚装置３と通路４を有し、該霊廟室１の前面側に祭壇５を備えた礼拝空間２を設けた態様である。そして、前記霊廟室１は、側壁パネル７，…及び天井パネル８，…で囲まれた空間として構成されており、前記通路４に対応する側壁パネル７の何れか一枚を、開閉扉１０を有するドアパネル９として、出入口を設けている。
【００２４】
更に詳しくは、前記棚装置３は、後部に固定棚１１を配置するとともに、該固定棚１１の前面に沿って横方向へ移動可能に移動棚１２を設けたものであり、前記棚装置３の前面と対面する側壁パネル７との間に通路４となる空間を設け、そして側壁パネル７の外面に沿った位置に祭壇５を設けて礼拝空間２としている。
【００２５】
具体的には、前記棚装置３は、後部に単位幅を有する複数の固定棚１１を配置するとともに、該固定棚１１の前面に沿って、該固定棚１１と略同一横幅で、その配置数よりも少ない数の移動棚１２を横方向へ移動可能に設けたものである。更に詳しくは、前記棚装置３は、ベース板１３の後部に前記固定棚１１を固定し、前記ベース板１３の前部に横方向に下部レール１４，１４を設けるとともに、前記固定棚１１の天板１５前縁に沿って上部レール１６を設け、前記移動棚１２の下端に設けた車輪１７，１７を下部レール１４，１４上で走行し、該移動棚１２の天板１８後部に設けたガイドローラ１９を上部レール１６内で転動し、もって前記移動棚１２を横方向移動可能となしたものである。
【００２６】
本実施形態の棚装置３は、手動で移動棚１２を横方向に移動させる方式であり、基本構造自体は公知なものであるが、最小の構成単位である基本ユニットＡの側方へ増設ユニットＢを順次連設して所望の収納規模に構成する。前記基本ユニットＡは、図２に示すように後部に２個の固定棚１１，１１を並設するとともに、前部に１個の移動棚１２を設けた構成とし、増設ユニットＢは、図８に示すように単位幅の前記ベース板１３の後部に１個の固定棚１１を固定し且つ前部に１個の移動棚１２を配置した構成としている。そして、前記基本ユニットＡの側方に増設ユニットを配置した際に、隣接するベース板１３，１３の下部レール１４，１４間を連結又は接合するとともに、上部レール１６，１６間を連結又は接合する。
【００２７】
前記固定棚１１と前記移動棚１２は、前面が開放したオープン棚であり、内部に複数の棚板２０，…を配置して納骨箱６を横に並べて二つ収納できるようになっている。本実施形態では、前記棚装置３は、霊廟室１内に配置しているので、前記移動棚１２の前面に扉を設けてキャビネット構造にする必要はないが、扉を設けることも可能である。尚、移動棚１２の前面に扉を設ける場合には、通路４が狭くなるので通路幅を広げる必要がある。また、前記固定棚１１の前面は、通常は移動棚１２が位置しているので、扉を設ける必要性は少ないが、勿論横開き式の引戸を設けることは可能である。しかし、固定棚１１の前面に引戸を設ける場合には、移動棚１２との間に引戸用の空間が必要になるので、収納効率が低下するので好ましくない。
【００２８】
図６に示すように、前記上部レール１６は、下向き開放したレール溝２１を有し、前記移動棚１２の天板１８の後部に設けたガイドローラ１９は、垂直な回動軸を有し、前記レール溝２１内に係合し、該レール溝２１の前後壁面で案内されて横方向へ移動するようになっている。更に、図９に示すように、前記基本ユニットＡの側方に増設ユニットＢを設置した際に、隣接する上部レール１６，１６の上面に渡した連結板２２で互に連通状態で連結するようになっている。尚、図示しないが、各ベース板１３，１３の間、又は固定棚１１，１１の間を連結することにより、全体が一体化して強度が向上する。
【００２９】
次に、前記霊廟室１を形成する側壁パネル７と天井パネル８を簡単に説明する。本実施形態では、前記棚装置３の奥行幅、つまり固定棚１１の後端と移動棚１２の前端の間隔若しくはベース板１３の奥行幅と、通路４の幅を前記固定棚１１の単位幅に一致させている。具体的には、固定棚１１のお灸木幅と通路幅はともに９０ｃｍに設定し、固定棚１１の横幅も９０ｃｍに設定している。そして、前記側壁パネル７の横幅を前記単位幅（９０ｃｍ）に一致させるとともに、天井パネル８の長さを前記棚装置の奥行幅に通路幅を加えた長さ（１８０ｃｍ）に設定している。そして、前記棚装置３を取り囲むように、等間隔で支柱２３，…を立設するとともに、該支柱２３の上端間を適宜横桟２４で連結し、支柱２３，２３と横桟２４，２４で囲まれる空間を、前記側壁パネル７と天井パネル８で塞いで区画形成する。これら支柱２３、横桟２４、側壁パネル７及び天井パネル８を用いて空間を区画するための具体的構造は、公知のものを利用することができる。
【００３０】
本実施形態では、前記棚装置３は、図１及び図９に示すように、固定棚１１が４個と移動棚１２が３個で構成され、それらを取り囲むように、側壁パネル７及び天井パネル８が建て込まれ、霊廟室１を構成している。本実施形態では、正面側の右端の側壁パネル７の代わりにドアパネル９を装着し、通路４に連通する開閉扉１０を設けている。そして、前面側の側壁の前方に床パネル２５，…を施設し、該床パネル２５，…の上に前記祭壇５を載置して礼拝空間２としている。ここで、前記床パネル２５も増設を考慮すれば、単位幅のものを側方に並べて設置するようにすることが望ましい。そして、敷設した床パネル２５，…の上面に敷物を敷き、その上に祭壇５を載置するようにすることが実際的である。
【００３１】
尚、本実施形態では、霊廟室１内に１セットの棚装置３を設置したが、複数セットの棚装置３，…を互いの間に通路を設けて設置することも勿論可能である。また、前記側壁パネル７及び天井パネル８を耐火構造にすることにより、大事な納骨箱６を火災から保護することができる。そして、前記開閉扉１０に施錠を施すことにより、セキュリティを高めることができる。
【図面の簡単な説明】
【００３２】
【図１】本発明に係る霊廟礼拝装置を一部破断して示した全体斜視図である。
【図２】棚装置の基本ユニットを示す全体斜視図である。
【図３】同じく基本ユニットの平面図である。
【図４】同じく基本ユニットの正面図である。
【図５】同じく基本ユニットの縦断側面図である。
【図６】固定棚の上部レールと移動棚のガイドローラの関係を示す部分拡大断面図である。
【図７】ベース板に設けた下部レールと移動棚の車輪とによる移動機構を示す部分拡大断面図である。
【図８】棚装置の増設ユニットを示す全体斜視図である。
【図９】図１に示した棚装置の全体斜視図である。
【符号の説明】
【００３３】
１  霊廟室
２  礼拝空間
３  棚装置
４  通路
５  祭壇
６  納骨箱
７  側壁パネル
８  天井パネル
９  ドアパネル
１０  開閉扉
１１  固定棚
１２  移動棚
１３  ベース板
１４  下部レール
１５  天板
１６  上部レール
１７  車輪
１８  天板
１９  ガイドローラ
２０  棚板
２１  レール溝
２２  連結板
２３  支柱
２４  横桟
２５  床パネル
Ａ  基本ユニット
Ｂ  増設ユニット
【図１】
2008274629.tif 000003
【図２】
2008274629.tif 000004
【図３】
2008274629.tif 000005
【図４】
2008274629.tif 000006
【図５】
2008274629.tif 000007
【図６】
2008274629.tif 000008
【図７】
2008274629.tif 000009
【図８】
2008274629.tif 000010
【図９】
2008274629.tif 000011